(57)【要約】    【課題】  古い建築物の外壁補修工事における安全作業と手間を軽減し、作業時間と作業コストを減少させることである。    【解決手段】  対向した一対の長辺及びこれら長辺と直交する対向した一対の短辺をもつ細長い矩形の本体部分（１２）を備え、本体部分の短辺の内側に、パイプ部材を通すための１又は複数のリング状支持部がそれぞれ設けられており、本体部分の一方の短辺に寄った側に、剥がした外壁材を投入するための開口部（１８）が設けられており、開口部に、剥がした外壁材を収容するための袋状の収容部分（２０）が取り外し可能に取り付けられていることを特徴とする外壁補修工事用安全シュート（１０）が提供される。【選択図】  図１
2006138116.tif 000002
【特許請求の範囲】
【請求項１】
対向した一対の長辺及び該長辺と直交する対向した一対の短辺をもつ細長い矩形の本体部分を備え、
前記本体部分の前記短辺の内側に、パイプ部材を通すための１又は複数のリング状支持部がそれぞれ設けられており、
前記本体部分の一方の短辺に寄った側に、剥がした外壁材を投入するための開口部が設けられており、前記開口部に、剥がした外壁材を収容するための袋状の収容部分が取り外し可能に取り付けられていることを特徴とする外壁補修工事用安全シュート。
【請求項２】
工事の際に剥がした外壁材の飛散を防止するための飛散防止部分を更に備え、前記飛散防止部分が、前記本体部分の前記長辺とほぼ同じ長さの対向した一対の長辺及び該長辺と直交する対向した一対の短辺をもつ細長い矩形形状を有するものとして形成され、一方の長辺を前記本体部分の前記長辺の一方に接続することによって前記本体部分に取り付けられていることを特徴とする請求項１に記載の外壁補修工事用安全シュート。
【請求項３】
前記本体の前記短辺に取り付けられた側部分を更に備え、前記側部分が、前記本体部分の前記短辺とほぼ同じ長さの対向した一対の第１辺及び該辺と直交する対向した一対の第２辺をもつ矩形形状を有するものとして形成され、前記第１辺を前記本体の前記短辺に接続することによって前記本体部分に取り付けられていることを特徴とする請求項１又は２に記載の外壁補修工事用安全シュート。
【請求項４】
外壁補修工事を行う建築物の外壁の前面に足場を配置する段階と、
前記請求項１から３までのいずれか１項に記載の外壁補修工事用安全シュートを準備する段階と、
前記本体部分の幅が足場のパイプ部材の径間とほぼ同じである場合には、前記リング状支持部をパイプ部材にそれぞれ通し、前記本体部分の幅が足場のパイプ部材の径間よりも大きい場合には、一方の短辺の側のリング状支持部のみをパイプ部材に通し、他方の短辺の側を下方に垂らし、前記本体部分がほぼ平らになるようにして、前記本体部分をクリップでパイプ部材に固定する段階と、
を含むことを特徴とする外壁補修方法。
【発明の詳細な説明】
【技術分野】
【０００１】
本発明は一般に、建築物の外壁を改修する際における外壁補修工事に用いる安全シュート及び外壁補修方法に関する。より詳細には、本発明は、比較的小規模な外壁補修工事における作業の手間を軽減し、安全な作業を可能とし、作業時間と作業コストを減少させる外壁補修工事用安全シュート及び外壁補修方法に関する。
【背景技術】
【０００２】
古い建築物における外壁補修工事は、一般的に、外壁の周囲に組んだ足場の上に作業者が載って、タイル等の古い外壁材を剥がした後、新しい外壁材を外壁に貼る等して施工することによって行われる。この際、外壁から剥がした古い外壁材は、足場の上に一旦落としておき、その後、清掃することによって処理していたが、このような作業方法では、外壁材を剥がす際に撤去材が誤って地上に落下しないように足場の周囲に安全ネットを張りめぐらさなければならず、作業に手間と時間がかかるとともに、作業コストを増大させる一因ともなる等の種々の不都合がある。
【０００３】
このような現状に鑑みて、本発明者は、古い建築物の外壁補修工事における手間を軽減し、作業時間と作業コストを減少させる安全な外壁補修工事用安全シュート及び外壁補修方法を提案した（特許文献１参照）。
【０００４】
【特許文献１】特許第３４４６９５８号公報
【発明の開示】
【発明が解決しようとする課題】
【０００５】
上述の外壁補修工事用安全シュート（以下「特許第３４４６９５８号シュート」という）及び外壁補修方法は、幸いにして好評を博しているが、この安全シュート及び補修方法は、比較的規模の大きな補修工事での使用に適している。そこで、本発明者は、比較的小規模な補修工事に使用するのに適した、外壁補修工事用安全シュート及び外壁補修方法を新たに開発した。
【課題を解決するための手段】
【０００６】
本願請求項１に記載の外壁補修工事用安全シュートは、対向した一対の長辺及び該長辺と直交する対向した一対の短辺をもつ細長い矩形の本体部分を備え、前記本体部分の前記短辺の内側に、パイプ部材を通すための１又は複数のリング状支持部がそれぞれ設けられており、前記本体部分の一方の短辺に寄った側に、剥がした外壁材を投入するための開口部が設けられており、前記開口部に、剥がした外壁材を収容するための袋状の収容部分が取り外し可能に取り付けられていることを特徴とするものである。
【０００７】
本願請求項２に記載の外壁補修工事用安全シュートは、前記請求項１に記載のシュートにおいて、工事の際に剥がした外壁材の飛散を防止するための飛散防止部分を更に備え、前記飛散防止部分が、前記本体部分の前記長辺とほぼ同じ長さの対向した一対の長辺及び該長辺と直交する対向した一対の短辺をもつ細長い矩形形状を有するものとして形成され、一方の長辺を前記本体部分の前記長辺の一方に接続することによって前記本体部分に取り付けられていることを特徴とするものである。
【０００８】
本願請求項３に記載の外壁補修工事用安全シュートは、前記請求項１又は２に記載のシュートにおいて、前記本体の前記短辺に取り付けられた側部分を更に備え、前記側部分が、前記本体部分の前記短辺とほぼ同じ長さの対向した一対の第１辺及び該辺と直交する対向した一対の第２辺をもつ矩形形状を有するものとして形成され、前記第１辺を前記本体の前記短辺に接続することによって前記本体部分に取り付けられていることを特徴とするものである。
【０００９】
本願請求項４に記載の外壁補修方法は、外壁補修工事を行う建築物の外壁の前面に足場を配置する段階と、前記請求項１から３までのいずれか１項に記載の外壁補修工事用安全シュートを準備する段階と、前記本体部分の幅が足場のパイプ部材の径間とほぼ同じである場合には、前記リング状支持部をパイプ部材にそれぞれ通し、前記本体部分の幅が足場のパイプ部材の径間よりも大きい場合には、一方の短辺の側のリング状支持部のみをパイプ部材に通し、他方の短辺の側を下方に垂らし、前記本体部分がほぼ平らになるようにして、前記本体部分をクリップでパイプ部材に固定する段階とを含むことを特徴とするものである。
【発明の効果】
【００１０】
本発明によれば、剥がした外壁材をシュートの開口部に投入すると、撤去材は本体部分に取り外し可能に取り付けた収容部分内に確実に入るので、足場の周囲に安全ネットを張りめぐらす必要がなくなり、手間と時間が削減されるとともに、作業コストを減少させることができる。また、剥がした撤去材を誤って落下させるおそれがなくなり、安全な作業環境を提供することができる。特に、本発明のシュートは、外壁材を投入する開口部が本体部分の中心ではなく偏心して設けられているので、パイプ部材間の径間が小さな比較的小規模な補修工事であっても、対処可能である。また、特許第３４４６９５８号シュートと協働して使用することも可能である。さらに、本発明のシュートは、織布又は不織布で形成されており、不使用時には折り畳んで収容部分内に収容しておくことにより、大きな保管スペースを必要としない。
【発明を実施するための最良の形態】
【００１１】
次に、図面を参照して、本発明の好ましい実施の形態に係る外壁補修工事用安全シュートについて詳細に説明する。図１において全体として参照符号１０で示される本発明の好ましい実施の形態に係る外壁補修工事用安全シュートは、対向した一対の長辺１２ａ、１２ｂ及び該長辺１２ａ、１２ｂと直交する対向した一対の短辺１２ｃ、１２ｄ（短辺間の距離をＸとする）をもつ細長い矩形の本体部分１２を備えている。
【００１２】
本体部分１２の一方の長辺１２ａには、好ましくは、詳細には後述するように補修工事の際に剥がした外壁材の飛散を防止するための飛散防止部分１４が取り付けられている。飛散防止部分１４は、本体部分１２の長辺１２ａ、１２ｂとほぼ同じ長さの対向した一対の長辺１４ａ、１４ｂ及び該長辺１４ａ、１４ｂと直交する対向した一対の短辺１４ｃ、１４ｄをもつ細長い矩形形状を有するものとして形成されており、一方の長辺１４ｂを本体部分の長辺１２ａに接続することによって本体部分１２に取り付けられている。
【００１３】
本体部分１２の短辺１２ｃ、１２ｄには、好ましくは、側部分１６がそれぞれ取り付けられている。側部分１６は、本体部分１２の短辺１２ｃ、１２ｄとほぼ同じ長さの対向した一対の辺１６ａ、１６ｂ及び該辺１６ａ、１６ｂと直交する対向した一対の辺１６ｃ、１６ｄをもつ矩形形状を有するものとして形成されており、辺１６ａを本体部分１２の短辺１２ｃ、１２ｄにそれぞれ接続することによって本体部分１２に取り付けられている。
【００１４】
なお、本体部分１２、飛散防止部分１４、及び側部分１６は、一体のものとして形成してもよく、別個のものを縫合等で接続することによって形成してもよい。
【００１５】
本体部分１２の短辺１２ｃと１２ｄの内側には、２つのリング状支持部１２ｃ１、１２ｃ２と１２ｄ１、１２ｄ２がそれぞれ設けられている。リング状支持部１２ｃ１、１２ｃ２、１２ｄ１、１２ｄ２は、後述するように、パイプ部材が通されるようになっている。本体部分１２の長辺１２ｂの側に位置するリング状支持部１２ｃ２、１２ｄ２は、隣接するリング状支持部１２ｃ１、１２ｄ１と反対側の端部を閉鎖してもよい。なお、図示した例では、各短辺の内側に２つのリング状支持部が設けられているが、リング状支持部の設置個数を１個にしてもよく、３個以上にしてもよい。
【００１６】
本体部分１２には、一方の短辺１２ｄに寄った側に、剥がした外壁材を投入するための開口部１８が設けられており、開口部１８の下側には、開口部１８の周縁から下方に垂下した垂れ壁１８ａが設けられている。垂れ壁１８ａには、剥がした外壁材を収容するための収容部分２０が取り外し可能に取り付けられている。
【００１７】
収容部分２０は、上端が開放し、下端が閉鎖した矩形横断面の袋状の形状を有しており、収容部分２０の頂部には、垂れ壁１８ａに配置されたリング１８ｂに引っ掛けるためのフック２０ａが配置されている。フック２０ａをリング１８ｂに引っ掛けることにより、収容部分２０を垂れ壁１８ａ（従って、本体部分１２）に取り付けることができ、フック２０ａをリング１８ｂから外すことにより、収容部分１８を垂れ壁１８ａ（従って、本体部分１２）から取り外すことができるようになっている。
【００１８】
なお、本体部分１２、飛散防止部分１４、側部分１６、リング状支持部１２ｃ１、１２ｃ２、１２ｄ１、１２ｄ２、及び収容部分２０は、適当な織布又は不織布材料で形成されている。
【００１９】
次に、図３〜図５を参照して、以上のように構成された外壁補修工事用安全シュート１０の使用について説明する。図３（ａ）は、外壁補修工事用安全シュート１０の本体部分１２の幅Ｘが足場のパイプ部材の径間Ｗ1 とほぼ同じである場合の使用例を示した図である。まず、外壁補修工事を行う建築物の外壁の前面に足場を配置する。そして、外壁材（例えば、タイル）を剥がそうとする高さにおける足場の床部分において、足場の支柱から建築物の外壁まで延びるパイプ部材に、外壁補修工事用安全シュート１０のリング状支持部１２ｃ１、１２ｃ２、１２ｄ１、１２ｄ２を通す。この際、シュート１０の本体部分１２の短辺１２ｃ、１２ｄ間の距離Ｘが足場の隣接する支柱間の間隔Ｗ1 とほぼ同等であり、更に、パイプ部材の先端を外壁に押しつけることによって、シュート１０の本体部分１２の長辺１２ｂの上縁は、建築物の外壁との間に隙間が実質的に形成されないように、建築物の外壁にほぼぴったりと密接し、剥がした外壁材が建築物と外壁との間の隙間から落下するのを防止することができる。そして、外壁材を剥がすと、本体部分１２の開口部１８から収容部分２０に入れる。なお、飛散防止部分１４を上方に立ち上げることにより、作業の際に、剥がした外壁材が手前に飛散するのを防止することができる。
【００２０】
図３（ｂ）は、外壁補修工事用安全シュート１０の本体部分１２の幅Ｘが足場のパイプ部材の径間Ｗ2 よりも大きい場合の使用例を示した図である。この場合には、一方のパイプ部材にリング状支持部１２ｄ１、１２ｄ２を通し、本体部分１２の他方の側（リング状支持部１２ｃ１、１２ｃ２がある側）を下方に垂らし、本体部分１２がほぼ平らになるようにして、本体部分１２をクリップでパイプ部材に固定する。そして、外壁材を剥がし、本体部分１２の開口部１８から収容部分２０に入れる。飛散防止部分１４を上方に立ち上げて、剥がした外壁材が手前に飛散するのを防止するのは、図３（ａ）の場合と同様である。なお、本体部分１２をパイプ部材に固定するのに用いるクリップは、公知のものを使用してよい。
【００２１】
図４は、外壁補修工事用安全シュート１０の側部分１６の使用例を示した図である。この使用例では、特許第３４４６９５８号シュートに隣接して、本発明の外壁補修工事用安全シュート１０が設置されており、一方の側部分１６が、特許第３４４６９５８号シュートの“漏斗状部分”内に垂らされている。これにより、剥がした外壁材を外壁補修工事用安全シュート１０の開口部１８に投入しそこなった場合に、側部分１６を経て特許第３４４６９５８号シュート内に入るので、開口部１８が本体部分１２の端に設けられていても、外壁材が落下する危険性を軽減することができる。
【００２２】
なお、収容部分２０は、安全シュート１０の不使用時に本体部分１２、飛散防止部分１４、及び側部分１６を収納しておく収納袋の役目も果たす。
【００２３】
本発明は、以上の発明の実施の形態に限定されることなく、特許請求の範囲に記載された発明の範囲内で、種々の変更が可能であり、それらも本発明の範囲内に包含されるものであることはいうまでもない。
【図面の簡単な説明】
【００２４】
【図１】収容部分が取り外された状態を示す本発明の好ましい実施の形態に係る外壁補修工事用安全シュートの斜視図である。
【図２】図２（ａ）は、収容部分が取り付けられた状態を示す本発明の好ましい実施の形態に係る外壁補修工事用安全シュートの部分切り取り斜視図、図２（ｂ）は、収容部分の取り付け箇所を示す外壁補修工事用安全シュートの部分拡大斜視図である。
【図３】図１の外壁補修工事用安全シュートの側面図である。
【図４】図１の外壁補修工事用安全シュートの使用状態を示した平面図である。
【図５】図１の外壁補修工事用安全シュートの使用状態を示した側面図である。
【符号の説明】
【００２５】
１０  外壁補修工事用安全シュート
１２  本体部分
１４  飛散防止部分
１６  側部分
１８  開口部
２０  収容部分
【図１】
2006138116.tif 000003
【図２】
2006138116.tif 000004
【図３】
2006138116.tif 000005
【図４】
2006138116.tif 000006
【図５】
2006138116.tif 000007